(57)【要約】【課題】第１レンズとカシメ部との間からの水の侵入を抑制することにより、防水性能を向上することのできるレンズユニットを提供すること。【解決手段】レンズユニット１において、樹脂製のレンズホルダ７に収容された複数のレンズのうち、最も物体側Ｌ１の第１レンズ１１は、レンズホルダ７の端部で径方向内側に張り出して第１レンズ１１の外周側端部１１５に物体側Ｌ１から被さるカシメ部７７によって固定されている。第１レンズ１１はプラスチックレンズであり、第１レンズ１１の物体側Ｌ１の第１面１１１には、カシメ部７７と重なる部分に、凹凸１１３ａを備えた粗面１１３が形成され、カシメ部７７は、凹凸１１３ａに食い込んでいる。従って、第１レンズ１１とカシメ部７７との間に侵入した水を第１レンズ１１の粗面１１３（凹凸１１３ａ）とカシメ部７７との食い込みによって堰き止めることができる。【選択図】図２
2018054798.tif 000002
【特許請求の範囲】
【請求項１】
複数のレンズと、
該複数のレンズを内側に保持する筒状のレンズホルダと、
を有し、
前記複数のレンズのうち、最も物体側に位置するレンズを第１レンズとしたとき、
前記レンズホルダは、樹脂製であって、前記第１レンズの周りを囲む第１レンズ保持用筒部と、前記第１レンズ保持用筒部の物体側の端部から径方向内側に張り出して前記第１レンズの外周側端部に物体側から被さるカシメ部と、を有し、
前記第１レンズの物体側の面の前記カシメ部と重なる部分に、凹凸を備えた粗面が形成され、
前記カシメ部は、前記凹凸に食い込んでいることを特徴とするレンズユニット。
【請求項２】
前記第１レンズはプラスチックレンズであることを特徴とする請求項１に記載のレンズユニット。
【請求項３】
前記粗面において、前記凹凸は、径方向で交互に形成された円環状の凸部と円環状の凹部とを備えていることを特徴とする請求項１または２に記載のレンズユニット。
【請求項４】
前記第１レンズの物体側の面には、前記第１レンズの外縁から径方向内側に離間した位置で前記外縁に沿うように延在した溝状の凹部が形成され、
前記カシメ部は、前記第１レンズ保持用筒部の前記端部から径方向内側に張り出して前記第１レンズの前記外周側端部に物体側から被さる第１カシメ部分と、前記第１カシメ部分から像側に突出して前記凹部内に入り込んだ第２カシメ部分と、を備え、
前記粗面は、前記第１カシメ部分と重なる部分に形成されていることを特徴とする請求項１から３までの何れか一項に記載のレンズユニット。
【請求項５】
前記粗面は、さらに前記凹部の底部に形成され、
前記第２カシメ部分の突出方向における先端部は、前記凹部の底部で前記凹凸に食い込んでいることを特徴とする請求項４に記載のレンズユニット。
【発明の詳細な説明】
【技術分野】
【０００１】
本発明は、レンズホルダに複数のレンズが保持されたレンズユニットに関するものである。
【背景技術】
【０００２】
複数のレンズが樹脂製のレンズホルダ内に収容されたレンズユニットに防水性が求められる場合、図７に示すように、複数のレンズ（例えば、第１レンズ１１、第２レンズ１２、第３レンズ１３および接合レンズ１４）のうち、最も物体側Ｌ１に位置する第１レンズ１１とレンズホルダ７との間にシール部材５が配置された構造が採用されることがある。また、レンズホルダ７に、シール部材５より物体側Ｌ１で第１レンズ１１の周りを囲む第１レンズ保持用筒部７４と、第１レンズ保持用筒部７４の物体側の端部で物体側に突出するカシメ用リブ（図示せず）とを設けておき、第１レンズ１１を配置した後、カシメ用リブを加熱しながら加圧することにより変形させて第１レンズ１１の外周側端部に物体側Ｌ１から被さるカシメ部７７を形成した構造が採用されることがある（例えば、特許文献１参照）。
【０００３】
レンズユニットの防水性を評価する場合、物体側Ｌ１から第１レンズ１１に高圧水流Ｗを噴射する評価が行わる。かかる評価において、矢印Ｗ１０で示すように、第１レンズ１１とカシメ部７７との間から第１レンズ１１の外周面１１０と第１レンズ保持用筒部７４との間に水が侵入した場合でも、侵入した水が少なければ、水はシール部材５によって堰き止められる。
【先行技術文献】
【特許文献】
【０００４】
【特許文献１】特開２００８−２３３４１４号公報
【発明の概要】
【発明が解決しようとする課題】
【０００５】
しかしながら、レンズユニットの防水性をさらに高めるには、第１レンズ１１とカシメ部７７との間からの水の侵入を抑制する必要があるが、第１レンズ１１とカシメ部７７との間には隙間が存在するため、特許文献１に記載の構成では、水の侵入を抑制することが困難である。
【０００６】
以上の問題点に鑑みて、本発明の課題は、第１レンズとカシメ部との間からの水の侵入を抑制することにより、防水性能を向上することのできるレンズユニットを提供することにある。
【課題を解決するための手段】
【０００７】
上記課題を解決するために、本発明に係るレンズユニットは、複数のレンズと、該複数のレンズを内側に保持する筒状のレンズホルダと、を有し、前記複数のレンズのうち、最も物体側に位置するレンズを第１レンズとしたとき、前記レンズホルダは、樹脂製であって、前記第１レンズの周りを囲む第１レンズ保持用筒部と、前記第１レンズ保持用筒部の物体側の端部から径方向内側に張り出して前記第１レンズの外周側端部に物体側から被さるカシメ部と、を有し、前記第１レンズの物体側の面の前記カシメ部と重なる部分に、凹凸を備えた粗面が形成され、前記カシメ部は、前記凹凸に食い込んでいることを特徴とする。
【０００８】
本発明において、第１レンズの物体側の面のカシメ部と重なる部分には、凹凸を備えた粗面が形成され、カシメ部は、粗面を構成する凹凸に食い込んでいる。このため、第１レンズとカシメ部との間から侵入した水は、第１レンズの粗面とカシメ部との食い込みによって堰き止められる。従って、第１レンズとカシメ部との間からの水の侵入を抑制することができるので、レンズユニットの防水性能を向上することができる。
【０００９】
本発明において、前記第１レンズはプラスチックレンズである態様を採用することができる。かかる態様によれば、第１レンズを樹脂成形する際、粗面を同時に形成することができる。
【００１０】
本発明において、前記粗面では、前記凹凸が径方向で交互に形成された円環状の凸部と円環状の凹部とを備えている態様を採用することができる。
【００１１】
本発明において、前記第１レンズの物体側の面には、前記第１レンズの外縁から径方向内側に離間した位置で前記外縁に沿うように延在した溝状の凹部が形成され、前記カシメ部は、前記第１レンズ保持用筒部の前記端部から径方向内側に張り出して前記第１レンズの前記外周側端部に物体側から被さる第１カシメ部分と、前記第１カシメ部分から像側に突出して前記凹部内に入り込んだ第２カシメ部分と、を備え、前記粗面は、前記第１カシメ部分と重なる部分に形成されている態様を採用することができる。かかる態様によれば、第１レンズとカシメ部との間から侵入した水は、第１レンズの凹部と第２カシメ部との間で堰き止められるとともに、第１レンズの粗面と第１カシメ部分との食い込みによって堰き止められる。従って、水がさらに侵入することを抑制することができる。また、カシメ部は、第２カシメ部分が存在する個所では厚くなっているため、物体側から第１レンズに高圧水流を噴射した際に第２カシメ部分が形成されている部分が破損するという事態が発生しにくい。また、第１レンズとカシメ部との間に高圧の水が侵入すると、侵入した水の水圧がカシメ部に加わるが、水圧は凹部内の第２カシメ部分に加わる。従って、カシメ部が水圧から受ける力では、カシメ部を開方向に変形させる成分が小さいので、カシメ部が開方向に変形することを抑制することができる。それ故、レンズユニットの防水性能を高めることができる。
【００１２】
本発明において、前記粗面は、前記凹部の底部に形成され、前記第２カシメ部分の突出方向における先端部は、前記凹部の底部で前記凹凸に食い込んでいる態様を採用することができる。かかる態様によれば、第１レンズとカシメ部との間から侵入した水は、第１レンズの凹部の底部でも堰き止められる。従って、水がさらに侵入することを抑制することができるので、レンズユニットの防水性能を高めることができる。
【発明の効果】
【００１３】
本発明において、第１レンズの物体側の面のカシメ部と重なる部分には、凹凸を備えた粗面が形成され、カシメ部は、粗面を構成する凹凸に食い込んでいる。このため、第１レンズとカシメ部との間から侵入した水は、第１レンズの粗面とカシメ部との食い込みによって堰き止められる。従って、第１レンズとカシメ部との間からの水の侵入を抑制することができるので、レンズユニットの防水性能を向上することができる。
【図面の簡単な説明】
【００１４】
【図１】本発明の実施の形態１に係るレンズユニットを物体側から見た斜視図である。
【図２】本発明の実施の形態１に係るレンズユニットの断面図である。
【図３】本発明の実施の形態１に係るレンズユニットのカシメ部付近を拡大して示す断面図である。
【図４】本発明の実施の形態２に係るレンズユニットのカシメ部付近を拡大して示す断面図である。
【図５】本発明の実施の形態３に係るレンズユニットのカシメ部付近を拡大して示す断面図である。
【図６】本発明の実施の形態４に係るレンズユニットのカシメ部付近を拡大して示す断面図である。
【図７】本発明の参考例に係るレンズユニットの説明図である。
【発明を実施するための形態】
【００１５】
図面を参照して、本発明の実施の形態を説明する。なお、以下の説明で参照する図においては、各部材を図面上で認識可能な程度の大きさとするため、各部材の数や縮尺を異ならしめてある。また、以下の説明では、光軸Ｌが延在している方向において、物体側にＬ１を付し、像側にＬ２を付して説明する。また、以下の説明では、図７を参照して説明した形態との対応が分かりやすいように、対応する部分には、図７と同一の符号を付してある。
【００１６】
［実施の形態１］
（レンズユニットの構成）
図１は、本発明の実施の形態１に係るレンズユニット１を物体側から見た斜視図である。図２は、本発明の実施の形態１に係るレンズユニット１の断面図である。
【００１７】
図１および図２に示すように、本形態のレンズユニット１は、光軸Ｌ方向に複数のレンズが配置された広角レンズ１０と、広角レンズ１０を内側に保持する筒状のレンズホルダ７とを有しており、撮像装置等の光学装置に用いられる。その際、レンズユニット１は、レンズホルダ７が光学装置のベース（図示せず）の内側に収容され、レンズホルダ７とベースとの間にはＯリング等のシール部材（図示せず）が設けられる。本形態において、レンズホルダ７は樹脂製である。より具体的には、レンズホルダ７は、熱可塑性樹脂からなる。
【００１８】
広角レンズ１０は、例えば、４群のレンズ群を備えている。より具体的には、広角レンズ１０は、物体側Ｌ１（被写体側／前側）から像側Ｌ２に向けて、負のパワーを持つ第１レンズ１１からなる第１レンズ群と、負のパワーを持つ第２レンズ１２からなる第２レンズ群と、正のパワーを有する第３レンズ１３からなる第３レンズ群と、正のパワーを有する接合レンズ１４からなる第４レンズ群とを有している。第１レンズ１１はガラスレンズまたはプラスチックレンズからなり、本形態において、第１レンズ１１はプラスチックレンズからなる。このため、第１レンズ１１の外周面１１０には、ゲートに相当する部分に平坦面（図示せず）が形成されている。第２レンズ１２および第３レンズ１３はプラスチックレンズからなる。接合レンズ１４は、負のパワーを有するプラスチックレンズからなる第４レンズ１５と、正のパワーを有するプラスチックレンズからなる第５レンズ１６との接合レンズである。レンズユニット１は、第３レンズ１３と第４レンズ１５との間に絞り１８を有している。また、レンズユニット１は、接合レンズ１４より像側Ｌ２に赤外線カットフィルタ１７を有している。
【００１９】
（レンズホルダ７の構成等）
第１レンズ１１は、第２レンズ１２、第３レンズ１３、および接合レンズ１４より外径寸法が大きい。第２レンズ１２、第３レンズ１３および接合レンズ１４は外径寸法が略等しく、接合レンズ１４において、第４レンズ１５は、第５レンズ１６より外形寸法が大きい。かかる形状に対応して、レンズホルダ７は、まず、像側Ｌ２に位置する第１筒部７１と、第１筒部７１より物体側Ｌ１に位置する第２筒部７２とを有している。また、レンズホルダ７は、第２筒部７２の径方向外側で物体側Ｌ１に突出した第３筒部７３と、第３筒部７３から物体側Ｌ１に突出して第１レンズ１１の周りを囲む円筒状の第１レンズ保持用筒部７４とを有している。第１レンズ保持用筒部７４は、内径が第３筒部７３より大であ
るため、第１レンズ保持用筒部７４の内周面と第３筒部７３の内周面との間には、物体側Ｌ１に向いた段部７６が形成されている。
【００２０】
レンズホルダ７において、第１レンズ保持用筒部７４の物体側Ｌ１の端部は肉薄部分になっており、かかる肉薄部分は、後述するカシメ工程で径方向内側に変形したカシメ部７７になっている。カシメ部７７は、第１レンズ１１の外周側端部１１５に物体側Ｌ１から被さって第１レンズ１１を保持している。本形態では、レンズホルダ７において、第１レンズ保持用筒部７４の物体側Ｌ１の端部には、一点鎖線で示すカシメリブ７７０が形成されており、本形態では、後述するカシメ工程でカシメリブ７７０を加熱しながら加圧して径方向内側に変形させ、カシメ部７７を形成する。
【００２１】
（レンズの固定構造）
以下、レンズユニット１の製造方法を説明しながら、レンズホルダ７に対するレンズの固定構造を説明する。
【００２２】
まず、第４レンズ１５と第５レンズ１６とを接合した接合レンズ１４を物体側Ｌ１からレンズホルダ７の第１筒部７１の内側に圧入する。ここで、第４レンズ１５は、第５レンズ１６より大径であるため、第４レンズ１５（接合レンズ１４）の外周側端部は第１筒部７１の段部７１１で支持される。
【００２３】
次に、絞り１８を第４レンズ１５に重ねた後、レンズホルダ７の第１筒部７１と第２筒部７２との境界部分の内側に第３レンズ１３を圧入する。次に、第２レンズ１２をレンズホルダ７の第２筒部７２の内側に配置した後、第２筒部７２の物体側Ｌ１の端部を加熱しながら加圧して内側に変形させ、第２レンズ１２を第３レンズ１３の側に押し付け固定する。
【００２４】
次に、レンズホルダ７の第１レンズ保持用筒部７４の内側に第１レンズ１１を配置する。ここで、第１レンズ１１は、第１面１１１側（物体側Ｌ１）は全体が連続した湾曲面になっている。これに対して、第２面１１２側（像側Ｌ２）には、径方向内側から径方向外側に向けてレンズ面を構成する凹曲面１１６と、光軸Ｌに直交する環状の第１平面部１１７と、第１平面部１１７より像側Ｌ２に突出した筒部１１８とを備えており、筒部１１８より径方向外側は環状の第２平面部１１９になっている。
【００２５】
レンズホルダ７において、第３筒部７３は、像側Ｌ２に位置する第１部分７３１と物体側Ｌ１に位置する第２部分７３２とからなる。第２部分７３２は、第１部分７３１と外径が等しいが、内径が大になっており、第１部分７３１と第２部分７３２との間に段部７３３が存在する。
【００２６】
そこで、本形態では、第１レンズ１１の筒部１１８の外側にゴム製のＯリング５０からなるシール部材５を装着した後、第１レンズ１１を第１レンズ保持用筒部７４の内側に配置する。その結果、第１レンズ１１の第２平面部１１９は、レンズホルダ７において第１レンズ保持用筒部７４の内周面と第３筒部７３の内周面との間に形成されている段部７６に当接し、第１レンズ１１は、光軸Ｌ方向で位置決めされる。また、シール部材５は、レンズホルダ７の第３筒部７３の第２部分７３２と第１レンズ１１の筒部１１８との間において径方向で圧縮され、第１レンズ１１とレンズホルダ７との間をシールする。
【００２７】
次に、カシメ工程では、第１レンズ保持用筒部７４の物体側Ｌ１の端部に形成されているカシメリブ７７０を加熱しながら加圧して径方向内側に変形させ、第１レンズ１１の外周側端部１１５に物体側Ｌ１から被さって第１レンズ１１を保持するカシメ部７７を形成する。その結果、レンズユニット１が完成する。ここで、第１レンズ１１の第１面１１１
側は全体が連続した湾曲面になっているため、カシメ部７７は、第１レンズ１１の第１面１１１に沿って斜めに径方向内側に張り出して第１レンズ１１の外周側端部１１５に物体側Ｌ１から被さっている。
【００２８】
（カシメ部７７付近の構成）
図３は、本発明の実施の形態１に係るレンズユニット１のカシメ部７７付近を拡大して示す断面図である。図２および図３に示すように、本形態のレンズユニット１では、第１レンズ１１をカシメ部７７によって固定するにあたって、第１レンズ１１の第１面１１１のカシメ部７７と重なる部分に、凹凸１１３ａを備えた粗面１１３が全周にわたって形成されている。すなわち、第１レンズ１１の第１面１１１のカシメ部７７と重なる部分は、レンズ有効面より粗い面になっている。また、カシメ部７７は、凹凸１１３ａに食い込んだ凹凸７７ａを有している。第１レンズ１１の凹凸１１３ａ（粗面１１３）は、第１レンズ１１を樹脂成形する際に同時に形成される。また、カシメ部７７の凹凸７７ａは、カシメリブ７７０を加熱しながら加圧してカシメ部７７を形成する際、カシメ部７７が溶融して凹凸１１３ａに食い込むことによって形成される。その際、カシメ部７７の凹凸７７ａと第１レンズ１１の凹凸１１３ａとでは、物理的に食い込んでいる場合がある他、凹凸７７ａと凹凸１１３ａとが溶着状態になっている場合があり、本形態では、いずれも状態にあってもよい。
【００２９】
本形態において、粗面１１３を構成する凹凸１１３ａは、径方向で交互に形成された円環状の凸部と円環状の凹部とを備えている。また、凹凸１１３ａにおいて、凸部および凹部はいずれも、断面略三角形状に形成されている。従って、カシメ部７７の凹凸７７ａは、粗面１１３の凸部が入り込んだ凹部と、粗面１１３の凹部に入り込んだ凸部とは径方向に交互に配置された形状になっており、凹凸７７ａにおいて、凸部および凹部はいずれも、断面略三角形状に形成されている。
【００３０】
（本形態の作用および効果）
以上説明したように、本形態のレンズユニット１において、第１レンズ１１の物体側Ｌ１の第１面１１１のカシメ部７７と重なる部分に、凹凸１１３ａを備えた粗面１１３が形成され、カシメ部７７は、凹凸１１３ａに食い込んだ凹凸７７ａを有している。このため、第１レンズ１１とカシメ部７７との間に侵入した水は、第１レンズ１１の粗面１１３（凹凸１１３ａ）とカシメ部７７との食い込みによって堰き止められる。従って、第１レンズ１１とカシメ部７７との間からの水の侵入を抑制することができるので、レンズユニット１の防水性能を向上することができる。
【００３１】
また、粗面１１３では、凹凸１１３ａが径方向で交互に形成された円環状の凸部と円環状の凹部とを備えているため、第１レンズ１１の粗面１１３（凹凸１１３ａ）とカシメ部７７との食い込みによって水を効果的に堰き止めることができる。
【００３２】
［実施の形態２］
図４は、本発明の実施の形態２に係るレンズユニット１のカシメ部７７付近を拡大して示す断面図である。なお、本形態および後述する実施の形態３、４の基本的な構成は、実施の形態１と同様であるため、共通する部分については同一の符号を付してそれらの説明を省略する。
【００３３】
図４に示すように、本形態のレンズユニット１では、第１レンズ１１をカシメ部７７によって固定するにあたって、第１レンズ１１の物体側の第１面１１１には、第１レンズ１１の外縁１１１ａから径方向内側に離間した位置で外縁１１１ａに沿うように延在した溝状の凹部１１４が形成されている。本形態において、溝状の凹部１１４は、第１レンズ１１の外縁１１１ａに沿って全周にわたって延在する円環状の溝として形成されている。
【００３４】
本形態では、カシメリブ７７０を加熱しながら加圧して径方向内側に変形させると、カシメ部７７の一部は、溶融して凹部１１４の内側に入り込む。従って、カシメ部７７は、第１レンズ保持用筒部７４の物体側Ｌ１の端部７４ａから径方向内側に張り出して第１レンズ１１の外周側端部１１５に全周にわたって物体側Ｌ１から被さる第１カシメ部分７７１と、第１カシメ部分７７１から像側Ｌ２に突出して凹部１１４内に全周にわたって入り込んだ第２カシメ部分７７２とを備えている。本形態において、第２カシメ部分７７２は、第１カシメ部分７７１の径方向内側端部７７１ａから像側Ｌ２に突出している。
【００３５】
ここで、第１レンズ１１の第１面１１１側は全体が連続した湾曲面になっているため、第１カシメ部分７７１は、第１レンズ１１の第１面１１１に沿って斜めに径方向内側に張り出して第１レンズ１１の外周側端部１１５に物体側Ｌ１から被さっている。なお、第２カシメ部分７７２の突出方向における先端部７７２ａは、凹部１１４の底部１１４ｃと離間している態様、および凹部１１４の底部１１４ｃと当接している態様のいずれであってもよい。本形態において、第２カシメ部分７７２の先端部７７２ａは、凹部１１４の底部１１４ｃと当接している。
【００３６】
本形態のレンズユニット１においても、実施の形態１と同様、第１レンズ１１の物体側Ｌ１の第１面１１１のカシメ部７７と重なる部分に、凹凸１１３ａを備えた粗面１１３が形成されている。本形態では、第１レンズ１１の第１面１１１のカシメ部７７と重なる部分のうち、第１カシメ部分７７１と重なる部分に、凹凸１１３ａを備えた粗面１１３が形成されている。従って、カシメ部７７は、第１カシメ部分７７１に凹凸１１３ａに食い込んだ凹凸７７ａを有している。本形態でも、粗面１１３を構成する凹凸１１３ａは、径方向で交互に形成された円環状の凸部と円環状の凹部とを備えている。従って、カシメ部７７の凹凸７７ａは、粗面１１３の凸部が入り込んだ凹部と、粗面１１３の凹部に入り込んだ凸部とは径方向に交互に配置された形状になっている。
【００３７】
このように構成した場合も、実施の形態１と同様、第１レンズ１１とカシメ部７７との間に侵入した水は、第１レンズ１１の粗面１１３（凹凸１１３ａ）とカシメ部７７との食い込みによって堰き止められる。また、本形態では、第１レンズ１１とカシメ部７７との間に侵入した水は、凹部１１４と第２カシメ部分７７２との間を通過する必要があるため、第１レンズ１１とカシメ部７７との間からの水の侵入を抑制することができる。それ故、レンズユニット１の防水性能を向上することができる。
【００３８】
また、カシメ部７７は、第２カシメ部分７７２が存在する個所では厚くなっている。このため、カシメ部７７を接着剤によって第１レンズ１１に固定しなくても、物体側Ｌ１から第１レンズ１１に高圧水流Ｗを噴射した際に、第１カシメ部分７７１の先端側（第２カシメ部分７７２が形成されている部分）が破損するという事態が発生しにくい。また、第１レンズ１１とカシメ部７７との間に高圧の水が侵入すると、侵入した水の水圧がカシメ部７７に加わるが、本形態では、水圧は凹部１１４内で第２カシメ部分７７２に加わる。従って、カシメ部７７が水圧から受ける力は、カシメ部７７を開方向に変形させる成分が小さいので、カシメ部７７を接着剤によって第１レンズ１１に固定しなくても、カシメ部７７が開方向に変形することを抑制することができる。
【００３９】
また、第２カシメ部分７７２は、第１カシメ部分７７１の径方向内側端部から像側Ｌ２に突出している。従って、カシメ部７７を形成する際、第１カシメ部分７７１の先端側を第２カシメ部分７７２として凹部１１４内に向けて溶融変形させやすい。また、第２カシメ部分７７２の突出方向における先端部７７２ａは、凹部１１４の底部１１４ｃに当接している。このため、第１レンズ１１とカシメ部７７との間に侵入した水を凹部１１４の底部１１４ｃで堰き止めやすい。
【００４０】
［実施の形態３］
図５は、本発明の実施の形態３に係るレンズユニット１のカシメ部７７付近を拡大して示す断面図である。図５に示すように、本形態のレンズユニット１でも、実施の形態２と同様、第１レンズ１１の第１面１１１には、第１レンズ１１の外縁１１１ａから径方向内側に離間した位置で外縁１１１ａに沿うように延在した溝状の凹部１１４が形成されている。また、カシメ部７７は、第１レンズ保持用筒部７４の物体側Ｌ１の端部７４ａから径方向内側に張り出して第１レンズ１１の外周側端部１１５に物体側Ｌ１から被さる第１カシメ部分７７１と、第１カシメ部分７７１から像側Ｌ２に突出して凹部１１４内に入り込んだ第２カシメ部分７７２とを備えている。ここで、第２カシメ部分７７２は、第１カシメ部分７７１の径方向の途中位置から凹部１１４の内部に向けて突出している。かかる構成のカシメ部７７も、カシメリブ７７０を加熱しながら加圧してカシメ部７７を形成する際、第１カシメ部分７７１の径方向の途中部分が溶融して凹部１１４の内部に向けて入り込むことによって形成される。
【００４１】
また、本形態でも、実施の形態１と同様、第１レンズ１１の第１面１１１のカシメ部７７と重なる部分に、凹凸１１３ａを備えた粗面１１３が形成されている。本形態では、第１レンズ１１の第１面１１１のカシメ部７７と重なる部分のうち、第１カシメ部分７７１の第２カシメ部分７７２より径方向内側の部分と重なる部分に、凹凸１１３ａを備えた粗面１１３が形成されている。従って、第１カシメ部分７７１のうち、第２カシメ部分７７２より径方向内側の部分が、凹凸１１３ａに食い込んだ凹凸７７ａを有している。本形態でも、粗面１１３を構成する凹凸１１３ａは、径方向で交互に形成された円環状の凸部と円環状の凹部とを備えている。従って、カシメ部７７の凹凸７７ａは、粗面１１３の凸部が入り込んだ凹部と、粗面１１３の凹部に入り込んだ凸部とは径方向に交互に配置された形状になっている。
【００４２】
このように構成した場合も、実施の形態１と同様、第１レンズ１１とカシメ部７７との間に侵入した水は、第１レンズ１１の粗面１１３（凹凸１１３ａ）とカシメ部７７との食い込みによって堰き止められる。また、第１レンズ１１とカシメ部７７との間から侵入した水は、凹部１１４と第２カシメ部分７７２との間を通過する必要があるため、第１レンズ１１とカシメ部７７との間からの水の侵入を抑制することができる。従って、レンズユニット１の防水性能を向上することができる等、実施の形態１、２と同様な効果を奏する。
【００４３】
［実施の形態４］
図６は、本発明の実施の形態４に係るレンズユニット１のカシメ部７７付近を拡大して示す断面図である。図６に示すように、本形態のレンズユニット１でも、実施の形態２と同様、第１レンズ１１の第１面１１１には、第１レンズ１１の外縁１１１ａから径方向内側に離間した位置で外縁１１１ａに沿うように延在した溝状の凹部１１４が形成されている。また、カシメ部７７は、第１レンズ保持用筒部７４の物体側Ｌ１の端部７４ａから径方向内側に張り出して第１レンズ１１の外周側端部１１５に物体側Ｌ１から被さる第１カシメ部分７７１と、第１カシメ部分７７１から像側Ｌ２に突出して凹部１１４内に入り込んだ第２カシメ部分７７２とを備えている。
【００４４】
本形態では、実施の形態２と同様、第１レンズ１１の第１面１１１には、第１カシメ部分７７１と重なる部分に、凹凸１１３ａを備えた粗面１１３が形成されている。従って、カシメ部７７は、第１カシメ部分７７１に凹凸１１３ａに食い込んだ凹凸７７ａを有している。
【００４５】
本形態では、凹部１１４の底部１１４ｃも、微細な凹凸１１３ａが形成された粗面１１
３になっている。従って、カシメ部７７は、第２カシメ部分７７２の先端部７７２ａに、凹部１１４の底部１１４ｃに形成された凹凸１１３ａに食い込んだ凹凸７７ａを有している。かかる凹凸７７ａも、カシメリブ７７０を加熱しながら加圧してカシメ部７７を形成する際、第２カシメ部分７７２の先端部７７２ａが溶融して凹凸１１３ａに食い込むことによって形成される。本形態では、凹部１１４の底部１１４ｃでも、粗面１１３を構成する凹凸１１３ａは、径方向で交互に形成された円環状の凸部と円環状の凹部とを備えている。従って、第２カシメ部分７７２の先端部７７２ａでも、カシメ部７７の凹凸７７ａは、粗面１１３の凸部が入り込んだ凹部と、粗面１１３の凹部に入り込んだ凸部とは径方向に交互に配置された形状になっている。
【００４６】
このように構成した場合も、実施の形態１と同様、第１レンズ１１とカシメ部７７との間に侵入した水は、第１レンズ１１の粗面１１３（凹凸１１３ａ）とカシメ部７７の第１カシメ部分７７１との食い込みによって堰き止められる。また、本形態では、第１レンズ１１とカシメ部７７との間から侵入した水は、凹部１１４と第２カシメ部分７７２との間を通過する必要があるため、第１レンズ１１とカシメ部７７との間からの水の侵入を抑制することができる。また、凹部１１４に侵入した水は、第１レンズ１１の凹部１１４の底部１１４ｃに形成した粗面１１３（凹凸１１３ａ）とカシメ部７７の第２カシメ部分７７２の先端部７７２ａとの食い込みによって堰き止められる。従って、レンズユニット１の防水性能を向上することができる等、実施の形態１、２と同様な効果を奏する。
【符号の説明】
【００４７】
１…レンズユニット、５…シール部材、７…レンズホルダ、１０…広角レンズ、１１…第１レンズ、５０…Ｏリング、７１…第１筒部、７２…第２筒部、７３…第３筒部、７４…第１レンズ保持用筒部、７４ａ…端部、７７…カシメ部、７７ａ、１１３ａ…凹凸、１１０…外周面、１１１…第１面、１１１ａ…外縁、１１２…第２面、１１３…粗面、１１４…凹部、１１４ｃ…底部、１１５…外周側端部、７７０…カシメリブ、７７１…第１カシメ部分、７７１ａ…径方向内側端部、７７２…第２カシメ部分、７７２ａ…先端部、Ｌ…光軸、Ｌ１…物体側、Ｌ２…像側
【図１】
2018054798.tif 000003
【図２】
2018054798.tif 000004
【図３】
2018054798.tif 000005
【図４】
2018054798.tif 000006
【図５】
2018054798.tif 000007
【図６】
2018054798.tif 000008
【図７】
2018054798.tif 000009